(57)【要約】【課題】  低音域に優れた吸音特性を有する吸音折り上げ天井ユニットを提供すること。【解決手段】  桟木５により中空に組み上げられた枠組み２の底部および側部に吸音板３が配設され、吸音板は、周端部のみにおいて枠組みに固定され、それ以外の部分で板振動可能とされ、枠組みの内部に多孔質吸音材４が配設される。【選択図】図１
2006265872.tif 000002
【特許請求の範囲】
【請求項１】
桟木により中空に組み上げられた枠組みの底部および側部に吸音板が配設され、吸音板は、周端部のみにおいて枠組みに固定され、それ以外の部分で板振動可能とされ、枠組みの内部に多孔質吸音材が配設されていることを特徴とする吸音折り上げ天井ユニット。
【請求項２】
吸音板は、基材に遮音シートが積層一体化されたものである請求項１記載の吸音折り上げ天井ユニット。
【請求項３】
多孔質吸音材は、２５〜８０ｋｇ/ｍ３の密度を有する無機質繊維材料である請求項１または２記載の吸音折り上げ天井ユニット。
【発明の詳細な説明】
【技術分野】
【０００１】
本願発明は、低音域に優れた吸音特性を有し、ホームシアターに好適な吸音折り上げ天井ユニットに関するものである。
【背景技術】
【０００２】
低周波数帯域での遮音性とともに中高周波数帯域での遮音性も良好な防音天井構造が知られている（たとえば、特許文献１参照）。この防音天井構造では、天井スラブの下方に設けられる天井材の壁に接する周囲の内少なくとも四隅を含む一部のみに吸音材が配設され、吸音材は断面が扇形となるように充填される。階上からの床衝撃の伝搬等による共振現象に起因した低周波帯域での重量源床衝撃音の発生や空気層内の空気の圧縮による低周波数の共鳴音の発生を有効に防止することができ、階上からの漏れによる中高周波数帯域での軽量床衝撃音の発生も未然に防止することができる。
【特許文献１】特開平１１−１５２８４１号公報
【発明の開示】
【発明が解決しようとする課題】
【０００３】
一方、近年、ＤＶＤやＰＤＰテレビの需要好調にともない、ホームシアターへの関心が高まり、普及が進んでいる。シアタールームにおいては、低音域のある音だけ膨らむというブーミングが問題視され、その改善が切望されている。ブーミングは、階上から階下への音の伝搬、漏れとは異なる事象の問題であり、上記特許文献１に記載された防音天井構造とは別の解決策が必要になっている。
【０００４】
ブーミングを解消するには、低音域の音に対する吸音効果を高めることが有効であり、そのために、たとえば空洞を形成したパネルが考えられるが、この場合、パネルが厚さの厚いものとなってしまい、設置に制約が生ずるという問題がある。反射音を拡散させる反射板の使用も考えられる。しかしながら、この場合には、入隅への施工が必要なため、家具等の配置によっては設置不可能となり、また、表面積上の限界という問題がある。
【０００５】
本願発明は、このような事情に鑑みてなされたものであり、低音域に優れた吸音特性を有する吸音折り上げ天井ユニットを提供することを課題としている。
【課題を解決するための手段】
【０００６】
本願発明は、上記の課題を解決するために、第１には、桟木により中空に組み上げられた枠組みの底部および側部に吸音板が配設され、吸音板は、周端部のみにおいて枠組みに固定され、それ以外の部分で板振動可能とされ、枠組みの内部に多孔質吸音材が配設されていることを特徴としている。
【０００７】
本願発明は、第２には、吸音板は、基材に遮音シートが積層一体化されたものであることを特徴としている。
【０００８】
本願発明は、第３には、多孔質吸音材は、２５〜８０ｋｇ/ｍ３の密度を有する無機質繊維材料であることを特徴としている。
【発明の効果】
【０００９】
本願の第１の発明によれば、低音域の吸音率が高く、ブーミングを抑制することができる。また、天井空間の有効利用が図られる。
【００１０】
本願の第２の発明によれば、吸音板に柔らかさと重さを付与することができ、一枚の板としてスムーズに振動して吸音性が向上する。
【００１１】
本願の第３の発明によれば、吸音性とともに施工性等が優れたものとなる。
【発明を実施するための最良の形態】
【００１２】
図１は、本願発明の吸音折り上げ天井ユニットの一実施形態を示した分解斜視図である。
【００１３】
吸音折り上げ天井ユニット１は、枠組み２と吸音板３と多孔質吸音材４とから構成されている。
【００１４】
枠組み２は、たとえば木製とすることができ、桟木５を縦横および高さ方向に配置して組み上げられた中空の芯材である。この枠組み２は吸音板３の板振動を阻害しない限り、種々の形状とすることができる。
【００１５】
吸音板３は、枠組み２の底部および側部に配設されている。この吸音板３は、周端部のみにおいて枠組み２に固定され、それ以外の部分で板振動可能とされている。ビス止めにより固定可能であり、ビス止めのピッチは吸音板３の板振動を阻害しない範囲で適宜なものとすることができる。たとえば４５０ｍｍピッチとすることができる。吸音板３には、面密度が大きく、剛性を有するパネルが好ましく用いられる。たとえば、合板、硬質または軟質の繊維板などの木質系ボード、パーティクルボード、石膏ボード、ケイ酸カルシウム板やフレキシブル板などのセメント系ボード、孔あきボード、多孔質ボード等が例示される。また、吸音板３には、図２に示したように、以上の板材を基材６とし、遮音シート７を積層一体化した遮音パネルが好適である。遮音シート７は、吸音板３に柔らかさと重さを付与し、基材６に積層一体化されることで一枚の板としてスムーズに振動し、吸音性を向上させる。このような遮音シート７としては、ゴムシート、鉛シート、樹脂シート、また、樹脂シート内に鉛のような高比重物質が配合されたシート等が例示される。
【００１６】
そして、吸音板３の表面はクロス等で化粧される。吸音板３の厚さは、施工性を考慮すると、５．０〜１１．５ｍｍの範囲が好ましい。５．０ｍｍより薄いと耐荷重性に問題が生じ、１１．５ｍｍより厚いとビスによる固定がしにくくなる。
【００１７】
図１に示した多孔質吸音材４には、たとえば、ガラスウールやロックウールなどの無機質繊維材料をはじめ、ポリウレタンフォームやメラミン樹脂などの高分子発泡材料等が用いられる。吸音性とともに施工性等を考慮すると、密度２５〜８０/ｍ３のガラスウールやロックウールなどの無機質繊維材料が好ましく例示される。多孔質吸音材４の厚さは、厚いほど吸音性能が向上するが、施工性を合わせて考慮すると、１０〜１００ｍｍの範囲が好適である。
【００１８】
以上の吸音折り上げ天井ユニット１は、吸音板３の板振動と多孔質吸音材４の吸音性とにより低音域の音を吸収し、ブーミングを抑制する。このような吸音折り上げ天井ユニット１は、図３に示したように、シアタールームの天井８のたとえば周端部などに設けることができ、折り上げ天井を形成する。ブーミングの抑制に天井空間を利用することができ、空間の有効利用が図れる。図１に示した吸音折り上げ天井ユニット１の側部に配設される吸音板３は、シアタールームの壁と反対側に位置させる。吸音折り上げ天井ユニット１は既存の天井にも配設可能である。
【００１９】
なお、吸音折り上げ天井ユニット１の配置位置は、ブーミングを効果的に抑えることのできる適宜な位置に配置することができる。また、吸音折り上げ天井ユニット１の高さｈは、高いほど低音域の音をより吸収することができるので、たとえば１５０ｍｍ以上とするのが好適である。さらに、吸音性の観点から、吸音折り上げ天井ユニット１の天井８を占める面積は大きいほど好ましい。たとえば、天井８の面積に対して吸音折り上げ天井ユニット１の占める面積の割合を５０％以上とすることができる。そして、吸音折り上げ天井ユニット１には、制振鋼板が採用されるなどして防音性を有する防音型照明器具９を底部に組み込むことができる。
【００２０】
シアタールームの天井８については、特に防音処理が施されることを要しないが、二重天井等の防音処理が施されたものが好適である。
【００２１】
次に、吸音折り上げ天井ユニット１を天井８に取り付け、折り上げ天井を形成したときの低音域の吸音率を評価した実施例および比較例を示す。
【実施例】
【００２２】
［実施例１］
図４に示したように、高さ１５０ｍｍ、幅４５０ｍｍの吸音折り上げ天井ユニット１を天井８の周端部に配設し、折り上げ天井を形成した。吸音板３には基材６に遮音シート７が積層一体化された厚さ１０．５ｍｍの遮音下地パネル＜壁用＞（松下電工社製）を用い、多孔質吸音材４には密度４０ｋｇ/ｍ３、厚さ５５ｍｍのロックウールを用いた。
【００２３】
吸音性能をＪＩＳ  Ａ  １４０９に定める残響室法吸音率の計算方法により評価した。その結果は表１に示す通りである。
【００２４】
【表１】
2006265872.tif 000003
［実施例２］
図５に示したように、高さ１５０ｍｍ、幅４５０ｍｍの吸音折り上げ天井ユニット１を天井８の周端部に配設し、折り上げ天井を形成した。吸音板３には基材６に遮音シート７が積層一体化された厚さ５．５ｍｍの遮音下地パネル＜天井用＞（松下電工社製）を用い、多孔質吸音材４には密度４０ｋｇ/ｍ３、厚さ５５ｍｍのロックウールを用いた。
【００２５】
吸音性能をＪＩＳ  Ａ  １４０９に定める残響室法吸音率の計算方法により評価した。その結果は表１に示す通りである。
［比較例］
図６に示したように、図１および図２に示した吸音折り上げ天井ユニット１において多孔質吸音材４を取り除き、吸音板３として厚さ９．５ｍｍの石膏ボードを採用し、天井８の周端部に配設して折り上げ天井を形成した。
【００２６】
吸音性能をＪＩＳ  Ａ  １４０９に定める残響室法吸音率の計算方法により評価した。その結果は表１に示す通りである。
【００２７】
表１から確認されるように、実施例１、２では、比較例に比べ、低音域の吸音率が約１．２〜３．８倍向上している。
【図面の簡単な説明】
【００２８】
【図１】本願発明の吸音折り上げ天井ユニットの一実施形態を示した分解斜視図である。
【図２】図１に示した吸音折り上げ天井ユニットにおける吸音板の一形態を示した断面図である。
【図３】図１に示した吸音折り上げ天井ユニットを用いて折り上げ天井を形成したシアタールームの概要について示した俯瞰図である。
【図４】実施例１に用いた吸音折り上げ天井ユニットを示した断面図である。
【図５】実施例２に用いた吸音折り上げ天井ユニットを示した断面図である。
【図６】比較例に用いた折り上げ天井ユニットを示した断面図である。
【符号の説明】
【００２９】
１    吸音折り上げ天井ユニット
２    枠組み
３    吸音板
４    多孔質吸音材
５    桟木
６    基材
７    遮音シート
８    天井
９    防音型照明器具
【図１】
2006265872.tif 000004
【図２】
2006265872.tif 000005
【図３】
2006265872.tif 000006
【図４】
2006265872.tif 000007
【図５】
2006265872.tif 000008
【図６】
2006265872.tif 000009